(57)【要約】【課題】イメージングカートリッジの着脱方向の異なる２つの画像形成装置のいずれにも装着できる接点を備え、いずれの画像形成装置に装着する際にも、画像形成装置の接点部材との電気的接続を確実に行える。【解決手段】イメージングカートリッジ１Ａ１は、第１の画像形成装置２Ａ１に対しては第１の方向Ｓ１に着脱可能で、第２の画像形成装置３Ａ１に対しては第１の方向Ｓ１と９０度異なる第２の方向Ｓ２に着脱可能である。接点８を第１の方向Ｓ１から見てケーシング１の右側端面、奥側端面、左側端面の奥側延長部、及び左側端面のいずれかに設ける。接点８は、第１の画像形成装置２Ａ１に対して第１の方向Ｓ１に装着したときに当該画像形成装置２Ａ１に設けた接点部材１１と接触し、第２の画像形成装置３Ａ１に対し第２の方向Ｓ２に装着したときに当該画像形成装置３Ａ１に設けた接点部材１１と接触する。【選択図】図１
2009205082.tif 000002
【特許請求の範囲】
【請求項１】
画像形成装置に着脱可能で、画像形成に必要な要素、ケーシング及び接点を有し、前記画像形成装置内に垂直方向に複数並べて配置されるイメージングカートリッジにおいて、
第１の画像形成装置に対しては第１の方向に着脱可能で、第２の画像形成装置に対しては前記第１の方向と９０度異なる第２の方向に着脱可能であり、
前記接点を前記第１の方向から見て前記ケーシングの右側端面、奥側端面、左側端面の奥側延長部、及び左側端面のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触することを特徴とするイメージングカートリッジ。
【請求項２】
画像形成装置に着脱可能で、画像形成に必要な要素、ケーシング及び接点を有し、前記画像形成装置内に水平方向に複数並べて配置されるイメージングカートリッジにおいて、
第１の画像形成装置に対しては第１の方向に着脱可能で、第２の画像形成装置に対しては前記第１の方向と９０度異なる第２の方向に着脱可能であり、
前記接点を前記第１の方向から見て前記ケーシングの右側端面、手前側端面、及び左側端面の奥側延長部のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触することを特徴とするイメージングカートリッジ。
【請求項３】
画像形成装置に着脱可能で、画像形成に必要な要素、ケーシング及び接点を有するイメージングカートリッジにおいて、
第１の画像形成装置に対しては第１の方向に着脱可能で、第２の画像形成装置に対しては前記第１の方向と９０度異なる第２の方向に着脱可能で、第３の画像形成装置に対しては前記第１の方向、前記第２の方向と９０度異なる第３の方向に着脱可能であり、
前記接点を前記第１の方向から見て前記ケーシングの右側端面、奥側端面、左側端面の奥側延長部、左側端面、上側端面、及び左側端面の下側延長部のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触し、第３の画像形成装置に対し第３の方向に装着したときに当該画像形成装置に設けた接点部材と接触することを特徴とするイメージングカートリッジ。
【請求項４】
前記イメージングカートリッジは、
少なくとも感光体及び帯電装置を含む感光体ユニット、
少なくとも現像ローラ及び現像装置を含む現像装置ユニット、
新トナーを収容する新トナーボックス、
廃トナーを収容する廃トナーボックス、及び
これらの少なくとも２つ以上が一体的に構成されたユニット
のいずれかであることを特徴とする請求項１から３のいずれかに記載のイメージングカートリッジ。
【請求項５】
前記接点は、画像形成に必要な要素から延設された導電板をケーシングに設けた孔からケーシングの表面に露出して形成したことを特徴とする請求項１から４のいずれかに記載のイメージングカートリッジ。
【請求項６】
前記請求項１から５のいずれかに記載の少なくとも１つのイメージングカートリッジと、前記イメージングカートリッジの前記接点と電気的に接続する接点部材とを備えたことを特徴とする画像形成装置。
【請求項７】
前記イメージングカートリッジを複数個備え、
各イメージングカートリッジが、
少なくとも感光体及び帯電装置を含む感光体ユニット、
少なくとも現像ローラ及び現像装置を含む現像装置ユニット、
新トナーを収容する新トナーボックス、
廃トナーを収容する廃トナーボックス、及び
これらの少なくとも２つ以上が一体的に構成されたユニット
のいずれかであることを特徴とする請求項６に記載の画像形成装置。
【請求項８】
前記接点部材は、捩りばねと、該捩りばねの一端より延設された接点アームと、前記捩りばねの他端より延設されワイヤと、該ワイヤと基板を電気的に接続する緩衝ばねとからなり、導電性材料で形成されていることを特徴とする請求項６又は７に記載の画像形成装置。
【請求項９】
前記イメージングカートリッジを着脱するための開口部と、該開口部を閉じるドアを有し、
前記接点部材は、前記ドアを閉じたときに前記イメージングカートリッジの接点と接触することを特徴とする請求項６から８のいずれかに記載の画像形成装置。
【発明の詳細な説明】
【技術分野】
【０００１】
本発明は、複写機、ファクシミリ、プリンタ、複合機等のイメージングカートリッジ及びそれを備えた画像形成装置に関する。
【背景技術】
【０００２】
従来、情報機器として、パソコン等に接続されてデータをプリントするだけの単機能製品であるプリンタと、プリントのほか原稿スキャンとコピーが可能な複合機能製品である複合機（ＭＦＰ）とがある。近年、特にＡ４対応製品では、プリンタをベースにしたＭＦＰとして販売されている。この種のＭＦＰは、通紙方向（給紙カセット又は手差し装置からの給紙方向）が装置正面に対し前後方向となっている。これは、プリンタと同様に、消耗品であるイメージングカートリッジの交換、印刷用紙の補充、ジャム処理が正面からのアクセスだけで行えるように配慮されたものである。このため、操作性が良いうえ、ベースとなるプリンタの変更が少なくて済み、またイメージングカートリッジがプリンタとＭＦＰとで共通使用できるという利点がある。
【０００３】
しかし、ＭＰＦでは、フィニッシャー等のオプションが装着されることを考慮すると、通紙方向を装置正面に対して左右方向にするのがユーザには使用しやすい。そうすると、ベースプリンタの正面がＭＦＰでは右側（又は左側）になり、用紙の補充やイメージングカートリッジの交換を装置の右側から行わなければならず、操作性が劣る。このため、ＭＦＰでは、用紙の補充やイメージングカートリッジの交換を装置の正面、すなわち、ベースプリンタの左側から行えるようにする必要があり、装置本体やイメージングカートリッジの構造変更のために新規開発が必須となる。このように機種毎にイメージングカートリッジを新規開発することは、多大な開発コストと開発期間を要するうえ、在庫管理も複雑になるという問題があった。
【０００４】
このような状況で、イメージングカートリッジが装着方向の異なるプリンタとＰＦＰのいずれにも装着できるような形状と、接点構造、駆動伝達機構を有することが要望されている。
【０００５】
特許文献１には、カートリッジフレームの一端に、垂直方向の最下位置に現像バイアス接点、最上位置に帯電バイアス接点、装着方向の最上流側に検出接点、最下流側にアース接点をそれぞれ露出して設けたイメージングカートリッジが記載されている。
また、特許文献２には、カートリッジフレームの非駆動側の端壁に、垂直方向に耐電バイアス接点、現像剤耐電バイアス接点、及び現像バイアス接点を並設し、駆動側のカップリング内にアース接点を設けたイメージングカートリッジが記載されている。
しかし、これらのイメージングカートリッジはいずれも、１つの画像形成装置に対して着脱するものであり、装着方向の異なる２つの画像形成装置に対して着脱するものではないので、上記問題を解決するには至っていない。
【特許文献１】特開平８−１６０７２号公報
【特許文献２】特開２００３−２２３０９１号公報
【発明の開示】
【発明が解決しようとする課題】
【０００６】
本発明は、イメージングカートリッジの着脱方向の異なる２つ又はそれ以上の画像形成装置のいずれにも装着できる接点を備え、いずれの画像形成装置に装着する際にも、画像形成装置の接点部材との電気的接続を確実に行える接点を備えたイメージングカートリッジ及びそれを備えた画像形成装置を提供することを課題とする。
【課題を解決するための手段】
【０００７】
本発明は、前記課題を解決するものであって、第１の発明は、装着方向が異なる２つの画像形成装置に垂直方向に複数個を装着可能なイメージングカートリッジに関する。
すなわち、画像形成装置に着脱可能で、画像形成に必要な要素、ケーシング及び接点を有し、前記画像形成装置内に垂直方向に複数並べて配置されるイメージングカートリッジにおいて、
第１の画像形成装置に対しては第１の方向に着脱可能で、第２の画像形成装置に対しては前記第１の方向と９０度異なる第２の方向に着脱可能であり、
前記接点を前記第１の方向から見て前記ケーシングの右側端面、奥側端面、左側端面の奥側延長部、及び左側端面のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触することを特徴とするイメージングカートリッジである。
【０００８】
第２の発明は、装着方向が異なる２つの画像形成装置に水平方向に複数個を装着可能なイメージングカートリッジに関する。
すなわち、画像形成装置に着脱可能で、画像形成に必要な要素、ケーシング及び接点を有し、前記画像形成装置内に水平方向に複数並べて配置されるイメージングカートリッジにおいて、
第１の画像形成装置に対しては第１の方向に着脱可能で、第２の画像形成装置に対しては前記第１の方向と９０度異なる第２の方向に着脱可能であり、
前記接点を前記第１の方向から見て前記ケーシングの右側端面、手前側端面、及び左側端面の奥側延長部のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触することを特徴とするイメージングカートリッジである。
【０００９】
第３の発明は、装着方向が異なる３つの画像形成装置に１個だけ装着可能なイメージングカートリッジに関する。
すなわち、画像形成装置に着脱可能で、画像形成に必要な要素、ケーシング及び接点を有するイメージングカートリッジにおいて、
第１の画像形成装置に対しては第１の方向に着脱可能で、第２の画像形成装置に対しては前記第１の方向と９０度異なる第２の方向に着脱可能で、第３の画像形成装置に対しては前記第１の方向、前記第２の方向と９０度異なる第３の方向に着脱可能であり、
前記接点を前記第１の方向から見て前記ケーシングの右側端面、奥側端面、左側端面の奥側延長部、左側端面、上側端面、及び左側端面の下側延長部のいずれかに設け、
前記接点は、第１の画像形成装置に対して第１の方向に装着したときに、当該画像形成装置に設けた接点部材と接触し、第２の画像形成装置に対し第２の方向に装着したときに、当該画像形成装置に設けた接点部材と接触し、第３の画像形成装置に対し第３の方向に装着したときに当該画像形成装置に設けた接点部材と接触することを特徴とするイメージングカートリッジである。
【００１０】
前記イメージングカートリッジは、
少なくとも感光体及び帯電装置を含む感光体ユニット、
少なくとも現像ローラ及び現像装置を含む現像装置ユニット、
新トナーを収容する新トナーボックス、
廃トナーを収容する廃トナーボックス、及び
これらの少なくとも２つ以上が一体的に構成されたユニット
のいずれかとすることができる。
【００１１】
前記接点は、画像形成に必要な要素から延設された導電板をケーシングに設けた孔からケーシングの表面に露出して形成することが好ましい。
【００１２】
本発明は、前記イメージングカートリッジを備えた画像形成装置に関する。
すなわち、前記いずれかの少なくとも１つのイメージングカートリッジと、前記イメージングカートリッジの前記接点と電気的に接続する接点部材とを備える。
【００１３】
前記イメージングカートリッジを複数個備え、
各イメージングカートリッジが、
少なくとも感光体及び帯電装置を含む感光体ユニット、
少なくとも現像ローラ及び現像装置を含む現像装置ユニット、
新トナーを収容する新トナーボックス、
廃トナーを収容する廃トナーボックス、及び
これらの少なくとも２つ以上が一体的に構成されたユニット
のいずれかであってもよい。
【００１４】
前記接点部材は、捩りばねと、該捩りばねの一端より延設された接点アームと、前記捩りばねの他端より延設されワイヤと、該ワイヤと基板を電気的に接続する緩衝ばねとからなり、導電性材料で形成されていることが好ましい。
【００１５】
前記イメージングカートリッジを着脱するための開口部と、該開口部を閉じるドアを有し、前記接点部材は、前記ドアを閉じたときに前記イメージングカートリッジの接点と接触することが好ましい。
【発明の効果】
【００１６】
本発明によれば、イメージングカートリッジの接点を設ける位置を規定したので、イメージングカートリッジの着脱方向の異なる２つ又はそれ以上の画像形成装置のいずれにも装着できる。また、いずれの画像形成装置に装着する際にも、画像形成装置の接点部材との電気的接続を確実に行える。
【発明を実施するための最良の形態】
【００１７】
以下、本発明の実施の形態を添付図面に従って説明する。
【００１８】
＜第１実施形態＞
図１は、本発明の第１実施形態に係るイメージングカートリッジ１Ａ１と、このイメージングカートリッジ１Ａ１が装着される第１の画像形成装置２Ａ１と第２の画像形成装置３Ａ１を概略的に示す。イメージングカートリッジ１Ａ１は、矩形箱状のケーシング１内に画像形成に必要なユニットが収容され、長手方向に直交する水平方向の一方の端部には画像形成に必要なユニットの一つが露出するように設けられている。この露出したユニットは、本実施形態及び以下に説明する他の実施形態では感光体５であるが、現像カートリッジの場合は現像ローラ、クリーニングカートリッジの場合はクリーニングブレード、新トナーボックスや廃トナーボックスであればトナー搬送ローラ等であってもよい。
【００１９】
イメージングカートリッジ１Ａ１の長手方向の両端面には、第１左ガイド６ａと第１右ガイド６ｂがそれぞれ突設されている。第１左ガイド６ａと第１右ガイド６ｂはいずれも矩形板状であり、イメージングカートリッジ１Ａ１の長手方向と直交する方向に延びている。
【００２０】
また、イメージングカートリッジ１Ａ１の長手方向に直交する方向の前記感光体５と反対側の端部には第２左ガイド７ａが突設され、前記感光体５と同じ側の端部上面には第２右ガイド７ｂが形成されている。第２左ガイド７ａは、矩形板状であり、イメージングカートリッジ１Ａ１の長手方向に延びている。第２左ガイド７ａは、断面逆Ｌ字形であり、イメージングカートリッジ１Ａ１の長手方向に延びている。
【００２１】
イメージングカートリッジ１Ａ１の右側端面（図中ハッチングで示す）には、後で詳細に説明する接点８が形成されている。
【００２２】
なお、ガイド６ａ，６ｂ，７ａ，７ａｂの形状は一例であり、これらの形状に限るものではない。
【００２３】
前記構成からなるイメージングカートリッジ１Ａ１は、図１（ａ），（ｂ）に示すように、第１の画像形成装置２Ａ１と第２の画像形成装置３Ａ１に着脱可能である。
【００２４】
図１（ａ）に示す第１の画像形成装置２Ａ１は、プリンタであり、図１（ａ）において右側が正面で、この正面に開口部９を有し、この開口部９から、４つのイメージングカートリッジ１Ａ１をその長手方向に直交する方向の第１の方向Ｓ１に着脱可能である。第１の画像形成装置２Ａ１には、イメージングカートリッジ１Ａ１の第１左右ガイド６ａ，６ｂを支持する断面コ字形のガイド受け１０（一方のみ図示）が開口部９の左右の壁に第１の方向Ｓ１に延びるように形成されている。また、第１の画像形成装置２Ａ１には、後で詳細に説明する接点部材１１が設けられ、この接点部材１１にイメージングカートリッジ１Ａ１の接点８が電気的に接触するようになっている。
【００２５】
この第１の画像形成装置２Ａ１にイメージングカートリッジ１Ａ１を第１の方向Ｓ１に装着する際には、第１左右ガイド６ａ，６ｂをガイド受け１０に挿入してスライドさせる。これにより、イメージングカートリッジ１Ａ１の接点８が画像形成装置２Ａ１の接点部材１１と電気的に接触する。
【００２６】
図１（ｂ）に示す第２の画像形成装置３Ａ１は、ＭＦＰであり、図１（ｂ）において左側が正面で、正面の左側には図示しないソーター、上面には図示しない原稿読取装置が付設される。正面には開口部９を有し、この開口部９から、４つのイメージングカートリッジ１Ａ１を図１（ａ）の第１の方向Ｓ１と９０度異なる第２の方向Ｓ２、すなわちイメージングカートリッジ１Ａ１の長手方向に沿う方向に着脱可能である。
【００２７】
第２の画像形成装置３Ａ１には、イメージングカートリッジ１Ａ１の第２左ガイド７ａを支持する断面コ字形のガイド受け１０が第２の方向Ｓ２に延びるように開口部９の左の壁に形成されている。開口部９の右縁にも、図示しないが、イメージングカートリッジ１Ａ１の第２右ガイド７ｂを支持するガイド受けが形成されている。また、第２の画像形成装置３Ａ１には、後で詳細に説明する接点部材１１が設けられ、この接点部材１１にイメージングカートリッジ１Ａ１の接点８が電気的に接触するようになっている。
【００２８】
この第２の画像形成装置３Ａ１にイメージングカートリッジ１Ａ１を第２の方向Ｓ２に装着するには、第２左ガイド７ａをガイド受け１０に挿入してスライドさせる。これにより、イメージングカートリッジ１Ａ１の接点８が第２の画像形成装置３Ａ１の接点部材１１と電気的に接触する。
【００２９】
以下、図１のイメージングカートリッジ１Ａ１と第１及び第２画像形成装置２Ａ１，３Ａ１の変形例をいくつか説明するが、特記以外は同一であるので、対応する部分は同一符号を附して説明を省略する。
【００３０】
図２のイメージングカートリッジ１Ａ２は、第１の画像形成装置２Ａ２への装着方向Ｓ１の奥側端面（図中ハッチングで示す）に接点８を設け、この接点８と対向するように、第１の画像形成装置２Ａ２及び第２の画像形成装置３Ａ２に接点部材１１を設けたものである。
【００３１】
このイメージングカートリッジ１Ａ２を第１の画像形成装置２Ａ２に第１の方向Ｓ１に装着すると、イメージングカートリッジ１Ａ２の接点８が画像形成装置２Ａ２の接点部材１１と電気的に接触する。また、イメージングカートリッジ１Ａ２を第２の画像形成装３Ａ２に第２の方向Ｓ２に装着すると、イメージングカートリッジ１Ａ２の接点８が画像形成装３Ａ２の接点部材１１と電気的に接触する。
【００３２】
図３のイメージングカートリッジ１Ａ３は、第１の画像形成装置２Ａ３への装着方向Ｓ１の左側端面の奥側延長部１２（図中ハッチングで示す）に接点８を設け、この接点８と対向するように、第１の画像形成装置２Ａ３及び第２の画像形成装置３Ａ３に接点部材１１を設けたものである。
【００３３】
このイメージングカートリッジ１Ａ３を第１の画像形成装置２Ａ３に第１の方向Ｓ１に装着すると、イメージングカートリッジ１Ａ３の接点８が画像形成装置２Ａ３の接点部材１１と電気的に接触する。また、イメージングカートリッジ１Ａ３を第２の画像形成装置３Ａ３に第２の方向Ｓ２に装着すると、イメージングカートリッジ１Ａ３の接点が画像形成装置３Ａ３の接点部材１１と電気的に接触する。
【００３４】
図４のイメージングカートリッジ１Ａ４は、第１の画像形成装置２Ａ４への装着方向Ｓ１の左側端面（図中ハッチングで示す）に接点８を設け、この接点８と対向するように、第１の画像形成装置２Ａ４及び第２の画像形成装置３Ａ４に接点部材１１を設けたものである。なお、第２の画像形成装置３Ａ４の接点部材１１は、開口部９を開閉するドア１３が閉じられると、このドア１３に連動して接点部材１１が接点８と対向するように形成されている。
【００３５】
このイメージングカートリッジ１Ａ４を第１の画像形成装置２Ａ４に第１の方向Ｓ１に装着すると、イメージングカートリッジ１Ａ４の接点８が画像形成装置２Ａ４の接点部材１１と電気的に接触する。また、イメージングカートリッジ１Ａ４を第２の画像形成装置３Ａ４に第２の方向Ｓ２に装着してドア１３を閉じると、イメージングカートリッジ１Ａ４の接点８が画像形成装置３Ａ４の接点部材１１と電気的に接触する。
【００３６】
次に、イメージングカートリッジ１Ａ１〜１Ａ４の接点８と画像形成装置２Ａ１〜２Ａ４、３Ａ１〜３Ａ４の接点部材１１の詳細を説明する。なお、各イメージングカートリッジ１Ａ１〜１Ａ４のガイドは、簡略化のために図示を省略してある。
【００３７】
図５は、図１のタイプのイメージングカートリッジ１Ａ１の接点８と、画像形成装置２Ａ１、３Ａ１の接点部材１１の詳細を示す。
【００３８】
イメージングカートリッジの１Ａ１には、感光体５に隣接して帯電ローラ１４と現像ローラ１５が設けられている。帯電ローラ１４のＳ１方向から見て右側の軸から右側端面に沿って帯状の導電板１６が延設され、右側端面に設けた孔１７から一部露出して帯電バイアス用の接点８が形成されている。なお、図示しないが、現像ローラ１５にも同様に現像バイアス用の接点が形成される。
【００３９】
一方、前記接点８と接触する接点部材１１は、画像形成装置２Ａ１、３Ａ１に設けた図示しない軸に外挿された導電性の捩りばね１１ａと、捩りばね１１ａの一端より第１の画像形成装置２Ａ１への装着方向Ｓ１に向かって延設され中間でイメージングカートリッジ１Ａ１に向かって凸に湾曲する導電性の接点アーム１１ｂと、捩りばね１１ａの他端より第１の画像形成装置２Ａ１への装着方向Ｓ１に向かって延設された導電性ワイヤ１１ｃと、導電性ワイヤ１１ｃと画像形成装置２Ａ１、３Ａ１に設けた高圧電源基板１８を電気的に接続する導電性の緩衝ばね１１ｄとからなっている。なお、図示しないが、現像ローラ１５の接点と接触する接点部材も同様に設けられる。
【００４０】
イメージングカートリッジの１Ａ１をＳ１方向に第１の画像形成装置２Ａ１に装着すると、装着完了位置で、イメージングカートリッジの１Ａ１の接点８が接点部材１１の接点アーム１１ｂに接触し、帯電ローラ１４と高圧電源基板１８とを導通させることができる。また、イメージングカートリッジの１Ａ１をＳ２方向に第２の画像形成装置３Ａ１に装着すると、装着完了位置で、イメージングカートリッジ１Ａ１の接点８が接点部材１１の接点アーム１１ａに接触し、帯電ローラ１４と高圧電源基板１８とを導通させることができる。
【００４１】
いずれの場合も、接点アーム１１ｂは、捩りばね１１ａの付勢力により接点８に押し付けられて接触する。捩りばね１１ａの変位は、導電性ワイヤ１１ｃを介して緩衝ばね１１ｄに伝達されるが、この緩衝ばね１１ｄで緩衝されるので、高圧電源基板１８との接続部が損傷することはない。
【００４２】
図６は、図２のタイプのイメージングカートリッジ１Ａ２の接点と、画像形成装置２Ａ２、３Ａ２の接点部材１１の詳細を示す。
【００４３】
イメージングカートリッジの１Ａ２の帯電ローラ１４のＳ１方向から見て右側の軸から、導電板１６が右側端面の内面に沿ってＳ１方向に配設され、さらに屈曲して奥側端面に至り、奥側端面に設けた孔１７から一部外面側に露出して帯電バイアス用の接点８が形成されている。
【００４４】
一方、前記接点８と接触する第１、第２の画像形成装置２Ａ２、３Ａ２の接点部材１１は、接点アーム１１ｂが捩りばね１１ａの一端からＳ２方向に延設され、導電性ワイヤ１１ｃが捩りばね１１ａの他端からＳ１方向に延設されて、緩衝ばね１１ｄを介して高圧電源基板１８に電気的に接続されている。
【００４５】
イメージングカートリッジの１Ａ２をＳ１方向に第１の画像形成装置２Ａ２に装着すると、装着完了位置で、イメージングカートリッジの１Ａ２の接点８が接点部材１１の接点アーム１１ｂに接触し、帯電ローラ１４と高圧電源基板１８と導通させることができる。
また、イメージングカートリッジ１Ａ２をＳ２方向に第２の画像形成装置３Ａ２に装着すると、装着完了位置で、イメージングカートリッジの１Ａ２の接点８が接点部材１１の接点アーム１１ｂに接触し、帯電ローラ１４と高圧電源基板１８と導通させることができる。
【００４６】
図７は、図３のタイプのイメージングカートリッジ１Ａ３の接点と、画像形成装置２Ａ３、３Ａ３の接点部材の詳細を示す。
【００４７】
イメージングカートリッジの１Ａ３の帯電ローラ１４のＳ１方向から見て左側の軸から、導電板１６が左側端面の内面に沿ってＳ１方向に配設され、さらに奥側延長部１２の外面に至り、奥側延長部１２に設けた孔１７から一部内面側に露出して帯電バイアス用の接点８が形成されている。
【００４８】
一方、前記接点８と接触する第１及び第２の画像形成装置２Ａ３、３Ａ３の接点部材１１は、接点アーム１１ｂが捩りばね１１ａの一端からＳ１方向に延設され、導電性ワイヤ１１ｃが捩りばね１１ａの他端からＳ２方向に延設され、さらにＳ１方向に屈曲し、緩衝ばね１１ｄを介して高圧電源基板１８に電気的に接続されている。
【００４９】
イメージングカートリッジの１Ａ３をＳ１方向に第１の画像形成装置２Ａ３に装着すると、装着完了位置で、イメージングカートリッジの１Ａ３の接点８が接点部材１１の接点アーム１１ｂに接触し、帯電ローラ１４と高圧電源基板１８と導通させることができる。また、イメージングカートリッジの１Ａ３をＳ２方向に第２の画像形成装置３Ａ３に装着すると、装着完了位置で、イメージングカートリッジの１Ａ３の接点８が接点部材１１の接点アーム１１ｂに接触し、帯電ローラ１４と高圧電源基板１８と導通させることができる。
【００５０】
図８は、図４のタイプのイメージングカートリッジ１Ａ４の接点と、画像形成装置２Ａ４、２Ａ４の接点部材１１の詳細を示す。
【００５１】
イメージングカートリッジの１Ａ４の帯電ローラ１４のＳ１方向から見て左側の軸から、導電板１６が左側端面の内面に沿ってＳ１方向に配設され、左側端面に設けた孔１７から一部外面側に露出して帯電バイアス用の接点８が形成されている。
【００５２】
一方、前記接点８と接触する第１の画像形成装置２Ａ４の接点部材１１は、図８中下側に示すように、接点アーム１１ｂが捩りばね１１ａの一端からＳ１方向に延設され、導電性ワイヤ１１ｃが捩りばね１１ａの他端からＳ１方向に延設され、緩衝ばね１１ｄを介してさらにＳ２方向に延びて高圧電源基板１８に電気的に接続されている。
また、前記接点８と接触する第２の画像形成装置３Ａ４の接点部材１１は、図８中上側に示すように、接点アーム１１ｂが捩りばね１１ａの一端からＳ２方向に延設され、導電性ワイヤ１１ｃが捩りばね１１ａの他端からＳ２方向に延設され、緩衝ばね１１ｄを介してさらにＳ２方向に延びて高圧電源基板１８に電気的に接続されている。捩りばね１１ａは、ドア１３と連動するように構成され、ドア１３が開放しているときは、イメージングカートリッジ１Ａ４の着脱を妨げないように退避しており、ドア１３の閉鎖動作に伴って図中矢印で示すように緩衝ばね１１ｄの回りに回動し、図８中下側に示す位置に移動するように構成されている。
【００５３】
イメージングカートリッジの１Ａ４をＳ１方向に第１の画像形成装置２Ａ４に装着すると、装着完了位置で、イメージングカートリッジの１Ａ４の接点８が接点部材１１の接点アーム１１ｂに接触し、帯電ローラ１４と高圧電源基板１８と導通させることができる。また、イメージングカートリッジの１Ａ４をＳ２方向に第２の画像形成装置３Ａ４に装着し、装着完了位置でドア１３を閉鎖すると、接点部材１１の接点アーム１１ｂがイメージングカートリッジの１Ａ４の接点８に接触し、帯電ローラ１４と高圧電源基板１８と導通させることができる。
【００５４】
＜第２実施形態＞
次に、本発明の第２実施形態について説明するが、同一部分には同一符号を附して説明を省略する。
【００５５】
図９は、本発明の第２実施形態に係るイメージングカートリッジ１Ｂ１を示す。このイメージングカートリッジ１Ｂ１は、矩形箱状のケーシング１内に画像形成に必要なユニットが収容され、長手方向に直交する垂直方向の下端部には感光体５が露出するように設けられている。
【００５６】
イメージングカートリッジ１Ｂ１の長手方向の両端面には、第１左ガイド６ａと第１右ガイド６ｂがそれぞれ突設されている。第１左ガイド６ａと第１右ガイド６ｂはいずれも矩形板状であり、イメージングカートリッジ１Ｂ１の長手方向と直交する垂直方向に延びている。
【００５７】
また、イメージングカートリッジ１Ｂ１の長手方向に直交する方向の前記感光体５と反対側の上端部には断面Ｔ字形の第２ガイド７が突設され、イメージングカートリッジ１Ｂ１の長手方向に延びている。
【００５８】
イメージングカートリッジ１Ｂ１の右側端面（図中ハッチングで示す）には、後で詳細に説明する接点８が形成されている。
【００５９】
前記構成からなるイメージングカートリッジ１Ｂ１は、図９（ａ），図９（ｂ）に示すように、第１の画像形成装置２Ｂ１と第２の画像形成装置３Ｂ１に着脱可能である。
【００６０】
図９（ａ）に示す第１の画像形成装置２Ｂ１は、プリンタであり、上面に開口部９を有し、この開口部９から、４つのイメージングカートリッジ１Ｂ１をその長手方向に直交する方向の第１の方向Ｓ１に着脱可能である。第１の画像形成装置２Ｂ１には、イメージングカートリッジ１Ｂ１の第１左右ガイド６ａ，６ｂを受け入れるガイド受け１０（一方のみ図示）が第１の方向Ｓ１に延びるように形成されている。また、第１の画像形成装置２Ｂ１には、後で詳細に説明する接点部材１１が設けられ、この接点部材１１にイメージングカートリッジ１Ｂ１の接点８が電気的に接触するようになっている。
【００６１】
この第１の画像形成装置２Ｂ１にイメージングカートリッジ１Ｂ１を第１の方向Ｓ１に装着する際には、第１左右ガイド６ａ，６ｂをガイド受け１０に挿入してスライドさせる。これにより、イメージングカートリッジ１Ｂ１の接点８が画像形成装置２Ｂ１の接点部材１１と電気的に接触する。
【００６２】
図９（ｂ）に示す第２の画像形成装置３Ｂ１は、ＭＦＰであり、図９（ｂ）において左側が正面で、正面の左側には図示しないソーター、上面には図示しない原稿読取装置が付設される。正面には開口部９を有し、この開口部９から、４つのイメージングカートリッジ１Ｂ１を図９（ａ）の第１の方向Ｓ１と９０度異なる第２の方向Ｓ２、すなわち長手方向に沿う方向に着脱可能である。開口部９の上縁には、イメージングカートリッジ１Ｂ１の第２ガイド７が係合するガイド受け１９が形成されている。また、第２の画像形成装置３Ｂ１には、後で詳細に説明する接点部材１１が設けられ、この接点部材１１にイメージングカートリッジ１Ｂ１の接点８が電気的に接触するようになっている。
【００６３】
この第２の画像形成装置３Ｂ１にイメージングカートリッジ１Ｂ１を第２の方向Ｓ２に装着する際には、第２ガイド７をガイド受け１９に挿入してスライドさせる。これにより、イメージングカートリッジ１Ｂ１の接点８が画像形成装置３Ｂ１の接点部材１１と電気的に接触する。
【００６４】
以下、図９のイメージングカートリッジ１Ｂ１と第１及び第２画像形成装置２Ｂ１，３Ｂ１の変形例をいくつか説明するが、特記以外は同一であるので、対応する部分は同一符号を附して説明を省略する。
【００６５】
図１０のイメージングカートリッジ１Ｂ２は、第１の画像形成装置２Ｂ２への装着方向Ｓ１の手前側端面（図中ハッチングで示す）に接点８を設け、この接点８と対向するように、第１の画像形成装置２Ｂ２及び第２の画像形成装置３Ｂ２に接点部材１１を設けたものである。なお、第１の画像形成装置２Ｂ２の接点部材１１は、開口部９を開閉するドア１３が閉じられると、このドア１３に連動して接点部材１１が接点８と対向するように形成されている。
【００６６】
このイメージングカートリッジ１Ｂ２を第１の画像形成装置２Ｂ２に第１の方向Ｓ１に装着してドア１３を閉じると、イメージングカートリッジ１Ｂ２の接点８が画像形成装置２Ｂ２の接点部材１１と電気的に接触する。また、イメージングカートリッジ１Ｂ２を第２の画像形成装置３Ｂ２に第２の方向Ｓ２に装着すると、イメージングカートリッジ１Ｂ２の接点８が画像形成装置３Ｂ２の接点部材１１と電気的に接触する。
【００６７】
図１１のイメージングカートリッジ１Ｂ３は、第１の画像形成装置２Ｂ２への装着方向Ｓ１の左側端面の奥側延長部（図中ハッチングで示す）１２に接点８を設け、この接点８と対向するように、第１の画像形成装置２Ｂ３及び第２の画像形成装置３Ｂ３に接点部材１１を設けたものである。
【００６８】
このイメージングカートリッジ１Ｂ３を第１の画像形成装置２Ｂ３に第１の方向Ｓ１に装着すると、イメージングカートリッジ１Ｂ３の接点８が画像形成装置２Ｂ３の接点部材１１と電気的に接触する。また、イメージングカートリッジ１Ｂ３を第２の画像形成装置３Ｂ３に第２の方向Ｓ２に装着すると、イメージングカートリッジ１Ｂ３の接点８が画像形成装置３Ｂ３の接点部材１１と電気的に接触する。
【００６９】
次に、イメージングカートリッジ１Ｂ１〜１Ｂ３の接点８と画像形成装置２Ｂ１〜２Ｂ３、３Ｂ１〜３Ｂ３の接点部材１１の詳細を説明する。
【００７０】
図１２は、図９のタイプのイメージングカートリッジ１Ｂ１の接点８と、画像形成装置２Ｂ２、３Ｂ２の接点部材１１の詳細を示す。
【００７１】
イメージングカートリッジの１Ｂ１には、感光体５に隣接して帯電ローラ１４と現像ローラ１５が設けられている。図中左の正面側に立って帯電ローラ１４のＳ１方向を見て右側の軸から右側端面に沿って帯状の導電板１６が延設され、右側端面に設けた孔１７から一部露出して帯電バイアス用の接点８が形成されている。なお、図示しないが、現像ローラ１５にも同様に現像バイアス用の接点が形成される。
【００７２】
一方、前記接点８と接触する第１及び第２の画像形成装置２Ｂ１、３Ｂ１の接点部材１１は、画像形成装置２Ｂ１、３Ｂ１に設けた図示しない軸に外挿された導電性の捩りばね１１ａと、捩りばね１１ａの一端より第１の画像形成装置２Ｂ１への装着方向Ｓ１に向かって延設され中間でイメージングカートリッジ１Ｂ１に向かって凸に湾曲する導電性の接点アーム１１ｂと、捩りばね１１ａの他端より第１の画像形成装置２Ｂ１への装着方向Ｓ１と反対側に向かって延設された導電性ワイヤ１１ｃと、導電性ワイヤ１１ｃと画像形成装置２Ｂ１、３Ｂ１に設けた高圧電源基板１８を電気的に接続する導電性の緩衝ばね１１ｄとからなっている。なお、図示しないが、現像ローラ１５の接点と接触する接点部材も同様に設けられる。
【００７３】
イメージングカートリッジの１Ｂ１をＳ１方向に第１の画像形成装置２Ｂ１に装着すると、装着完了位置で、イメージングカートリッジの１Ｂ１の接点８が接点部材１１の接点アーム１１ｂに接触し、帯電ローラ１４を高圧電源基板１８と導通させることができる。また、イメージングカートリッジの１Ｂ１をＳ２方向に第２の画像形成装置３Ｂ１に装着すると、装着完了位置で、イメージングカートリッジの１Ｂ１の接点８が接点部材１１の接点アーム１１ｂに接触し、帯電ローラ１４を高圧電源基板１８と導通させることができる。
【００７４】
図１３は、図１０のタイプのイメージングカートリッジ１Ｂ２の接点８と、画像形成装置２Ｂ２，３Ｂ２の接点部材１１の詳細を示す。
【００７５】
図中左の正面側に立ってイメージングカートリッジの１Ｂ２の帯電ローラ１４をＳ１方向から見て右側の軸から、導電板１６が右側端面の内面に沿ってＳ１方向に配設され、さらに屈曲して手前側端面に至り、手前側端面に設けた孔１７から一部外面側に露出して帯電バイアス用の接点８が形成されている。
【００７６】
一方、前記接点８と接触する第１の画像形成装置２Ｂ２の接点部材１１は、図１３中左側に示すように、接点アーム１１ｂが捩りばね１１ａの一端からＳ１方向に延設され、導電性ワイヤ１１ｃが捩りばね１１ａの他端からＳ１方向に延設され緩衝ばね１１ｄを介してさらにＳ１方向に延びて高圧電源基板１８に電気的に接続されている。そして、ドア１３が開放しているときは、イメージングカートリッジの１Ｂ２の着脱を妨げないように退避しており、ドア１３の閉鎖の動作に伴って、図中矢印で示すように緩衝ばね１１ｄの回りに回動し、図１３中右側に示す位置に移動するように構成されている。
【００７７】
また、前記接点８と接触する第２の画像形成装置３Ｂ２の接点部材１１は、図１３中右側に示すように、接点アーム１１ｂが捩りばね１１ａの一端からＳ２方向に延設され、導電性ワイヤ１１ｃが捩りばね１１ａの他端からＳ２方向に延設され緩衝ばね１１ｄを介してさらにＳ１方向に延びて高圧電源基板１８に電気的に接続されている。
【００７８】
イメージングカートリッジの１Ｂ２をＳ１方向に第１の画像形成装置２Ｂ２に装着し、装着完了位置でドア１３を閉鎖すると、接点部材１１の接点アーム１１ｂがイメージングカートリッジの１Ｂ２の接点８に接触し、帯電ローラ１４と高圧電源基板１８と導通させることができる。
また、イメージングカートリッジ１Ｂ２をＳ２方向に第１の画像形成装置３Ｂ２に装着すると、装着完了位置で、イメージングカートリッジの１Ｂ２の接点８が接点部材１１の接点アーム１１ｂに接触し、帯電ローラ１４と高圧電源基板１８と導通させることができる。
【００７９】
図１４は、図１１のタイプのイメージングカートリッジ１Ｂ３の接点と、画像形成装置２Ｂ３，３Ｂ３の接点部材１１の詳細を示す。
【００８０】
図中右の正面側に立ってイメージングカートリッジ１Ｂ３の帯電ローラ１４をＳ１方向から見て左側の軸から、導電板１６が左側端面の内面に沿ってＳ１方向に配設され、さらに奥側延長部１２に至り、該奥側延長部１２に設けた孔１７から一部内側に露出して帯電バイアス用の接点８が形成されている。
【００８１】
一方、前記接点８と接触する第１及び第２の画像形成装置２Ｂ３，３Ｂ３の接点部材１１は、接点アーム１１ｂが捩りばね１１ａの一端からＳ１方向に延設され、導電性ワイヤ１１ｃが捩りばね１１ａの他端からＳ２方向に延設され、Ｓ１方向に屈曲し、さらにＳ２方向に屈曲して、緩衝ばね１１ｄを介して高圧電源基板１８に電気的に接続されている。
【００８２】
イメージングカートリッジの１Ａ３をＳ１方向に第１の画像形成装置２Ｂ３に装着すると、装着完了位置で、イメージングカートリッジの１Ａ３の接点８が接点部材１１の接点アーム１１ｂに接触し、帯電ローラ１４を高圧電源基板１８と導通させることができる。また、イメージングカートリッジの１Ａ３をＳ２方向に第２の画像形成装置３Ｂ３に装着すると、装着完了位置で、イメージングカートリッジの１Ａ３の接点８が接点部材１１の接点アーム１１ｂに接触し、帯電ローラ１４を高圧電源基板１８と導通させることができる。
【００８３】
＜第３実施形態＞
次に、本発明の第３実施形態について説明するが、同一部分には同一符号を附して説明を省略する。
【００８４】
図１５は、本発明の第３実施形態に係るイメージングカートリッジ１Ｃ１と、このイメージングカートリッジ１Ｃ１が装着される第１の画像形成装置２Ｃ１、第２の画像形成装置３Ｃ１及び第３の画像形成装置４Ｃ１を概略的に示す。イメージングカートリッジ１Ｃ１は、矩形箱状で、１つの角部（この実施例では、図中下角部）に長手方向に延びる切欠き部２０が形成されたケーシング１を有する。ケーシング１内には、画像形成に必要なユニットが収容され、切欠き部２０に感光体５が露出している。
【００８５】
イメージングカートリッジ１Ｃ１の長手方向の一端面には、第１左ガイド６ａと第３左ガイド２１ａが突設され、他端面には第１右ガイド６ｂと第３右ガイド２１ｂが突設されている。第１左ガイド６ａと第１右ガイド６ｂはいずれも矩形板状であり、イメージングカートリッジ１Ｃ１の長手方向と直交する水平方向に延びている。第３左ガイド２１ａと第３右ガイド２１ｂも矩形板状であり、イメージングカートリッジ１Ｃ１の長手方向と直交する垂直方向に延びている。
【００８６】
また、イメージングカートリッジ１Ｃ１の長手方向に直交する方向の両端面には第２左ガイド７ａ、第２右ガイド７ｂが突設されている。第２左ガイド７ａと第２右ガイド７ｂはいずれも矩形板状であり、イメージングカートリッジ１Ｃ１の長手方向に延びている。
【００８７】
イメージングカートリッジ１Ｃ１の右側端面（図中ハッチングで示す）には、図５と同様の接点８が形成されている。
【００８８】
前記構成からなるイメージングカートリッジ１Ｃ１は、図１５（ａ），（ｂ），（Ｃ）に示すように、第１の画像形成装置２Ｃ１と第２の画像形成装置３Ｃ１と第３の画像形成装置４Ｃ１に着脱可能である。
【００８９】
図１５（ａ）に示す第１の画像形成装置２Ｃ１は、プリンタであり、図１５（ａ）において右側が正面で、この正面に開口部９を有し、この開口部９から、イメージングカートリッジ１Ｃ１をその長手方向に直交する方向の第１の方向Ｓ１に着脱可能である。第１の画像形成装置２Ｃ１には、イメージングカートリッジ１Ｃ１の第１左右ガイド６ａ，６ｂを支持する断面コ字形のガイド受け１０（一方のみ図示）が開口部９の左右の壁に第１の方向Ｓ１に延びるように形成されている。また、第１の画像形成装置２Ｃ１には、図５と同様の接点部材１１が設けられ、この接点部材１１にイメージングカートリッジ１Ａ１の接点８が電気的に接触するようになっている。
【００９０】
この第１の画像形成装置２Ｃ１にイメージングカートリッジ１Ｃ１を第１の方向Ｓ１に装着する際には、第１左右ガイド６ａ，６ｂをガイド受け１０に挿入してスライドさせる。これにより、イメージングカートリッジ１Ｃ１の接点８が画像形成装置２Ｃ１の接点部材１１と電気的に接触する。
【００９１】
図１５（ｂ）に示す第２の画像形成装置３Ｃ１は、ＭＦＰであり、図１５（ｂ）において左側が正面で、正面の左側には図示しないソーター、上面には図示しない原稿読取装置が付設される。正面には開口部９を有し、この開口部９から、４つのイメージングカートリッジ１Ｃ１を図１５（ａ）の第１の方向Ｓ１と９０度異なる第２の方向Ｓ２、すなわち感光体５の長手方向に沿う方向に着脱可能である。
【００９２】
第２の画像形成装置３Ｃ１には、イメージングカートリッジ１Ｃ１の第２左ガイド７ａを支持する断面コ字形のガイド受け１０が第２の方向Ｓ１に延びるように開口部９の左の壁に形成されている。開口部９の右縁にも、図示しないが、イメージングカートリッジ１Ｃ１の第２右ガイド７ｂを支持するガイド受けが形成されている。また、第１の画像形成装置３Ｃ１には、図５と同様の接点部材１１が設けられ、この接点部材１１にイメージングカートリッジ１Ｃ１の接点８が電気的に接触するようになっている。
【００９３】
この第２の画像形成装置３Ｃ１にイメージングカートリッジ１Ｃ１を第２の方向Ｓ２に装着するには、第２左右ガイド７ａ，７ｂをガイド受け１０に挿入してスライドさせる。これにより、イメージングカートリッジ１Ｃ１の接点８が画像形成装置３Ｃ１の接点部材１１と電気的に接触する。
【００９４】
図１５（ｃ）に示す第３の画像形成装置４Ｃ１は、プリンタであり、図１５（ｃ）において右側が正面で、上面に開口部９を有し、この開口部９から、イメージングカートリッジ１Ｃ１をその長手方向に直交する方向の第３の方向Ｓ３に着脱可能である。第３の画像形成装置４Ｃ１には、イメージングカートリッジ１Ｃ１の第３左右ガイド２１ａ，２１ｂを支持する断面コ字形のガイド受け１０（一方のみ図示）が開口部９の左右の壁に第３の方向Ｓ１に延びるように形成されている。また、第３の画像形成装置４Ｃ１には、図１２と同様の接点部材１１が設けられ、この接点部材１１にイメージングカートリッジ１Ｃ１の接点８が電気的に接触するようになっている。
【００９５】
この第３の画像形成装置４Ｃ１にイメージングカートリッジ１Ｃ１を第３の方向Ｓ３に装着する際には、第３左右ガイド２１ａ，２１ｂをガイド受け１０に挿入してスライドさせる。これにより、イメージングカートリッジ１Ｃ１の接点８が画像形成装置４Ｃ１の接点部材１１と電気的に接触する。
【００９６】
以下、図１５のイメージングカートリッジ１Ｃ１と第１，第２及び第３画像形成装置２Ｃ１，３Ｃ１，４Ｃ１の変形例をいくつか説明するが、特記以外は同一であるので、対応する部分は同一符号を附して説明を省略する。
【００９７】
図１６のイメージングカートリッジ１Ｃ２は、第１の画像形成装置２Ｃ２への装着方向Ｓ１の奥側端面（図中ハッチングで示す）に図６と同様の接点８を設け、この接点８と対向するように、第１の画像形成装置２Ｃ２及び第２の画像形成装置３Ｃ２に図６と同様の接点部材１１を設け、また第３の画像形成装置４Ｃ２に図１２と同様の接点部材１１を設けたものである。
【００９８】
このイメージングカートリッジ１Ｃ２を第１の画像形成装置１Ｃ２に第１の方向Ｓ１に装着すると、イメージングカートリッジ１Ｃ２の接点８が画像形成装置１Ｃ２の接点部材１１と電気的に接触する。また、イメージングカートリッジ１Ｃ２を第２の画像形成装置３Ｃ２に第２の方向Ｓ２に装着すると、イメージングカートリッジ１Ｃ２の接点８が画像形成装置３Ｃ２の接点部材１１と電気的に接触する。さらに、イメージングカートリッジ１Ｃ２を第３の画像形成装置４Ｃ２に第３の方向Ｓ３に装着すると、イメージングカートリッジ１Ｃ２の接点８が画像形成装置４Ｃ２の接点部材１１と電気的に接触する。
【００９９】
図１７のイメージングカートリッジ１Ｃ３は、第１の画像形成装置２Ｃ３への装着方向Ｓ１の左側端面の奥側延長部１２（図中ハッチングで示す）に図７と同様の接点８を設け、この接点８と対向するように、第１の画像形成装置２Ｃ３及び第２の画像形成装置３Ｃ３の本体に図７と同様の接点部材１１を設け、また第３の画像形成装置４Ｃ３に図１４と同様の接点部材１１を設けたものである。
【０１００】
このイメージングカートリッジ１Ｃ３を第１の画像形成装置２Ｃ３に第１の方向Ｓ１に装着すると、イメージングカートリッジ１Ｃ３の接点８が画像形成装置２Ｃ３の接点部材１１と電気的に接触する。また、イメージングカートリッジ１Ｃ３を第２の画像形成装置３Ｃ３に第２の方向Ｓ２に装着すると、イメージングカートリッジ１Ｃ３の接点８が画像形成装置３Ｃ３の接点部材１１と電気的に接触する。さらに、イメージングカートリッジ１Ｃ３を第３の画像形成装置４Ｃ３に第３の方向Ｓ３に装着すると、イメージングカートリッジ１Ｃ３の接点８が画像形成装置４Ｃ３の接点部材１１と電気的に接触する。
【０１０１】
図１８のイメージングカートリッジ１Ｃ４は、第１の画像形成装置２Ｃ４への装着方向Ｓ１の左側端面（図中ハッチングで示す）に図８と同様の接点８を設け、この接点８と対向するように、第１の画像形成装置２Ｃ４及び第２の画像形成装置３Ｃ４に図８と同様の接点部材１１を設け、また第３の画像形成装置４Ｃ４に図１２と同様の接点部材１１を設けたものである。なお、第２の画像形成装置３Ｃ４の接点部材１１は、開口部９を開閉するドア１３が閉じられると、このドア１３に連動して接点部材１１が接点８と対向するように形成されている。
【０１０２】
このイメージングカートリッジ１Ｃ４を第１の画像形成装置２Ｃ４に第１の方向Ｓ１に装着すると、イメージングカートリッジ１Ｃ４の接点８が画像形成装置２Ｃ４の接点部材１１と電気的に接触する。また、イメージングカートリッジ１Ｃ４を第２の画像形成装置３Ｃ４に第２の方向Ｓ２に装着してドア１３を閉じると、イメージングカートリッジ１Ｃ４の接点８が画像形成装置３Ｃ４の接点部材１１と電気的に接触する。さらに、イメージングカートリッジ１Ｃ４を第３の画像形成装置４Ｃ４に第３の方向Ｓ３に装着すると、イメージングカートリッジ１Ｃ３の接点８が画像形成装置４Ｃ４の接点部材１１と電気的に接触する。
【０１０３】
図１９のイメージングカートリッジ１Ｃ５は、第１の画像形成装置２Ｃ５への装着方向Ｓ１の上側端面（図中ハッチングで示す）に図５と同様の接点８を設け、この接点８と対向するように、第１の画像形成装置２Ｃ５及び第２の画像形成装置３Ｃ５に図５と同様の接点部材１１を設け、また第３の画像形成装置４Ｃ５に図１３と同様の接点部材１１を設けたものである。なお、第３の画像形成装置４Ｃ５の接点部材１１は、開口部９を開閉するドア１３が閉じられると、このドア１３に連動して接点部材１１が接点８と対向するように形成されている。
【０１０４】
このイメージングカートリッジ１Ｃ５を第１の画像形成装置２Ｃ５に第１の方向Ｓ１に装着すると、イメージングカートリッジ１Ｃ５の接点８が画像形成装置２Ｃ５の接点部材１１と電気的に接触する。また、イメージングカートリッジ１Ｃ５を第２の画像形成装置３Ｃ５に第２の方向Ｓ２に装着すると、イメージングカートリッジ１Ｃ５の接点８が画像形成装置３Ｃ５の接点部材１１と電気的に接触する。さらに、イメージングカートリッジ１Ｃ５を第３の画像形成装置４Ｃ５に第２の方向Ｓ２に装着してドア１３を閉じると、イメージングカートリッジ１Ｃ５の接点８が画像形成装置４Ｃ５の接点部材１１と電気的に接触する。
【０１０５】
図２０のイメージングカートリッジ１Ｃ６は、第１の画像形成装置２Ｃ６への装着方向Ｓ１の左側端面の下側延長部２２（図中ハッチングで示す）に図７と同様の接点８を設け、この接点８と対向するように、第１の画像形成装置２Ｃ６及び第２の画像形成装置３Ｃ６の本体に図７と同様の接点部材１１を設け、また第３の画像形成装置４Ｃ６に図１４と同様の接点部材１１を設けたものである。
【０１０６】
このイメージングカートリッジ１Ｃ６を第１の画像形成装置２Ｃ６に第１の方向Ｓ１に装着すると、イメージングカートリッジ１Ｃ６の接点８が画像形成装置２Ｃ６の接点部材１１と電気的に接触する。また、イメージングカートリッジ１Ｃ６を第２の画像形成装置３Ｃ６に第２の方向Ｓ２に装着すると、イメージングカートリッジ１Ｃ６の接点が画像形成装置３Ｃ６の接点部材１１と電気的に接触する。さらに、イメージングカートリッジ１Ｃ６を第３の画像形成装置４Ｃ６に第３の方向Ｓ３に装着すると、イメージングカートリッジ１Ｃ６の接点が画像形成装置４Ｃ６の接点部材１１と電気的に接触する。
【０１０７】
＜画像形成装置の第１実施例＞
図２１は、前述の本発明に係るイメージングカートリッジ１０２を備えたより具体的な第１の画像形成装置としてのプリンタ１０１を示す。このプリンタ１０１はイエロー、マゼンタ、シアン、ブラックの４個のイメージングカートリッジ１０２Ｙ，１０２Ｍ，１０２Ｃ，１０２Ｋが縦方向に配置されたタンデム型カラーレーザプリンタである。各イメージングカートリッジ１０２は、図示しないが、前記イメージングカートリッジ１Ａ，１Ｂ，１Ｃのいずれかの外部構造（ガイド、接点）を有する。各イメージングカートリッジ１０２は、回転可能に設けた円筒状の感光体１０３の周囲に配置された帯電装置１０４、現像装置１０５及び新トナーボックス１０６、クリーニング装置１０７及び廃トナーボックス１０８からなっている。このイメージングカートリッジ１０２は、感光体１０３に帯電装置１０４により電荷を与え、露光装置１０９により画像信号に基づいて静電潜像を形成し、該静電潜像を現像装置１０４により現像する。現像されたトナー像は転写ベルト１１０と感光体１０３の間に給紙ユニット１１１からタイミングローラ１１２を介して搬送される用紙に転写される。転写後に感光体１０３上に残留するトナーはクリーニング装置１０７によって廃トナーボックス１０８に回収される。トナー像が転写された用紙は定着ユニット１１３に搬送され、ここでトナー像が定着された後、用紙トレイ１１４に排出される。
【０１０８】
このプリンタ１０１は、図２１において右側が正面で、正面から見て用紙を給紙ユニット１１１から前方向に供給し、垂直に搬送して後方向に排紙するタイプである。給紙ユニット１１１の着脱は正面から可能である。前面の扉を開くと、転写ベルト１１０が扉とともにイメージングカートリッジ１０２から離脱する。これにより、イメージングカートリッジ１０２を第１の方向Ｓ１（紙面の左右方向）に着脱可能になっている。
【０１０９】
図２２は、本発明に係るイメージングカートリッジを備えたより具体的な第２の画像形成装置としてのＭＦＰ２０１を示す。ＭＦＰ２０１には、原稿読取装置２０２、ソーター２０３が付設されている。このＭＦＰ２０１は、図１４において紙面表側を正面とする。給紙ユニット１１１の着脱は正面から可能である。前面の扉を開くと、イメージングカートリッジ１０２を第２の方向Ｓ２（紙面の表裏方向）に着脱可能になっている。
【０１１０】
＜画像形成装置の第２実施例＞
図２３は、本発明に係るイメージングカートリッジ３０２を備えたより具体的な第１の画像形成装置としてのプリンタ３０１を示す。このプリンタ３０１は４個のイメージングカートリッジ３０２（３０２Ｙ，３０２Ｍ，３０２Ｃ，３０２Ｋ）が水平方向に配置されたタンデム型カラーレーザプリンタである。各イメージングカートリッジ３０２の構成は、前記図２９のイメージングカートリッジと同様であり、前記イメージングカートリッジ１Ｄの外部構造（ガイド、取手等）を有する。また、プリンタ３０１は、配置は異なるが、図２９のプリンタ１０１と同様、露光装置３０９、転写ベルト３１０、給紙ユニット３１１、タイミングローラ３１２、定着ユニット３１３、用紙トレイ３１４を備えている。
【０１１１】
このプリンタ３０１は、図３１において右側が正面で、正面から見て用紙を給紙ユニット３１１から前方向に供給し、垂直に搬送して後方向に排紙するタイプである。給紙ユニット３１１の着脱は正面から可能である。上面の扉を開くと、露光装置１０９が扉とともにイメージングカートリッジ３０２から離脱する。これにより、イメージングカートリッジ３０２を第１の方向Ｓ１（紙面の上下方向）に着脱可能になっている。
【０１１２】
図２４は、本発明に係るイメージングカートリッジ３０２を備えたより具体的な第２の画像形成装置としてのＭＦＰ４０１を示す。ＭＦＰ４０１には、原稿読取装置４０２、ソーター４０３が付設されている。このＭＦＰ４０１は、図３２において紙面表側を正面とする。給紙ユニット３１１の着脱は正面から可能である。前面の扉を開くと、イメージングカートリッジ３０２を第２の方向Ｓ２（紙面の表裏方向）に着脱可能になっている。
【０１１３】
＜画像形成装置の第３実施例＞
図２５は、本発明に係るイメージングカートリッジ５０２を備えたより具体的な第１の画像形成装置としてのプリンタ５０１を示す。このプリンタ５０１は１個のイメージングカートリッジ５０２を備えたモノクロレーザプリンタである。イメージングカートリッジ５０２の構成は、イメージングカートリッジ１０２と同様であり、前記図１５〜２０のイメージングカートリッジ１Ｃの外部構造を有する。また、プリンタ５０１は、配置は異なるが、図２１のプリンタ１０１と同様、露光装置５０９、転写ローラ５１０、給紙ユニット５１１、タイミングローラ５１２、定着ユニット５１３、用紙トレイ５１４を備えている。
【０１１４】
このプリンタ５０１は、図２５において左側が正面で、正面から見て用紙を給紙ユニット５１１から前方向に供給し、垂直に搬送して後方向に排紙するタイプである。給紙ユニット５１１の着脱は正面から可能である。正面の扉を開くと、転写ローラ５１０、定着ローラ５１３が扉とともにイメージングカートリッジ５０２から離脱する。これにより、イメージングカートリッジ５０２を第１の方向Ｓ１（紙面の左右方向）に着脱可能になっている。
【０１１５】
図２６は、本発明に係るイメージングカートリッジ５０２を備えたより具体的な第２の画像形成装置としてのＭＦＰ６０１を示す。ＭＦＰ６０１には、原稿読取装置６０２、ソーター６０３が付設されている。このＭＦＰ６０１は、図２６において紙面表側を正面とする。給紙ユニット５１１の着脱は正面から可能である。前面の扉を開くと、イメージングカートリッジ５０２を第２の方向Ｓ２（紙面の表裏方向）に着脱可能になっている。
【０１１６】
図２７は、本発明に係るイメージングカートリッジ５０２を備えたより具体的な第３の画像形成装置としてのプリンタ７０１を示す。このプリンタ７０１は、図２７において左側が正面で、正面から見て用紙を給紙ユニット５１１から前方向に供給し、垂直に搬送して後方向に排紙するタイプである。給紙ユニット５１１の着脱は上面から可能である。上面の扉を開くと、排紙トレイ５１４が扉とともにイメージングカートリッジ５０２から離脱する。これにより、イメージングカートリッジ５０２を第３の方向Ｓ３（紙面の上下方向）に着脱可能になっている。
【０１１７】
＜画像形成装置の第４実施例＞
以上の実施形態では、イメージングカートリッジ１０２，３０２，５０２は、該イメージングカートリッジ１０２，３０２，５０２を構成する、感光体１０３、帯電装置１０４、現像装置１０５及び新トナーボックス１０６、クリーニング装置１０７及び廃トナーボックス１０８の各ユニットを一体に構成したが、各ユニットを任意に組み合わせてカートリッジとし、このカートリッジ毎に着脱することも可能である。
【０１１８】
例えば、図２８に示すように、上から１番目のイメージングカートリッジ１０２Ｋは、感光体１０３、帯電装置１０４、現像装置１０５、新トナーボックス１０６、クリーニング装置１０７及び廃トナーボックス１０８の各ユニットが一体的に構成された１つのカートリッジ１０２Ｋとする。
２番目のイメージングカートリッジは、感光体１０３、帯電装置１０４、現像装置１０５、新トナーボックス１０６の各ユニットが一体的に構成されたカートリッジ１０２Ｃ１と、クリーニング装置１０７及び廃トナーボックス１０８の各ユニットが一体的に構成されたカートリッジ１０２Ｃ２の２つとする。
３番目のイメージングカートリッジは、感光体１０３、帯電装置１０４、現像装置１０５、クリーニング装置１０７及び廃トナーボックス１０８の各ユニットが一体的に構成されたカートリッジ１０２Ｍ１と、新トナーボックス１０６のユニットからなるカートリッジ１０２Ｍ２の２つとする。
４番目目のイメージングカートリッジは、感光体１０３、帯電装置１０４、現像装置１０５及びクリーニング装置１０７の各ユニットが一体的に構成されたカートリッジ１０２Ｙ１と、新トナーボックス１０６及び廃トナーボックス１０８の各ユニットが一体的に構成されたカートリッジ１０２Ｙ２の２つとすることができる。
【図面の簡単な説明】
【０１１９】
【図１】本発明の第１実施形態に係るイメージングカートリッジの第１の画像形成装置への装着状態を示す斜視図（ａ）、第２の画像形成装置への装着状態を示す斜視図（ｂ）。
【図２】図１のイメージングカートリッジの変形例に係るイメージングカートリッジの第１の画像形成装置への装着状態を示す斜視図（ａ）、第２の画像形成装置への装着状態を示す斜視図（ｂ）。
【図３】図１のイメージングカートリッジの他の変形例に係るイメージングカートリッジの第１の画像形成装置への装着状態を示す斜視図（ａ）、第２の画像形成装置への装着状態を示す斜視図（ｂ）。
【図４】図１のイメージングカートリッジのさらに他の変形例に係るイメージングカートリッジの第１の画像形成装置への装着状態を示す斜視図（ａ）、第２の画像形成装置への装着状態を示す斜視図（ｂ）。
【図５】図１のイメージングカートリッジの接点と画像形成装置の接点部材の詳細を示す斜視図。
【図６】図２のイメージングカートリッジの接点と画像形成装置の接点部材の詳細を示す斜視図。
【図７】図３のイメージングカートリッジの接点と画像形成装置の接点部材の詳細を示す斜視図。
【図８】図４のイメージングカートリッジの接点と画像形成装置の接点部材の詳細を示す斜視図。
【図９】本発明の第２実施形態に係るイメージングカートリッジの第１の画像形成装置への装着状態を示す斜視図（ａ）、第２の画像形成装置への装着状態を示す斜視図（ｂ）。
【図１０】図９のイメージングカートリッジの変形例に係るイメージングカートリッジの第１の画像形成装置への装着状態を示す斜視図（ａ）、第２の画像形成装置への装着状態を示す斜視図（ｂ）。
【図１１】図９のイメージングカートリッジの他の変形例に係るイメージングカートリッジの第１の画像形成装置への装着状態を示す斜視図（ａ）、第２の画像形成装置への装着状態を示す斜視図（ｂ）。
【図１２】図９のイメージングカートリッジの接点と画像形成装置の接点部材の詳細を示す斜視図。
【図１３】図１０のイメージングカートリッジの接点と画像形成装置の接点部材の詳細を示す斜視図。
【図１４】図１１のイメージングカートリッジの接点と画像形成装置の接点部材の詳細を示す斜視図。
【図１５】本発明の第３実施形態に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図１６】図１５のイメージングカートリッジの変形例に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図１７】図１５のイメージングカートリッジの他の変形例に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図１８】図１５のイメージングカートリッジの他の変形例に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図１９】図１５のイメージングカートリッジの他の変形例に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図２０】図１５のイメージングカートリッジの他の変形例に係るイメージングカートリッジの第１の画像形成装置への装着状態を示す斜視図（ａ）、第２の画像形成装置への装着状態を示す斜視図（ｂ）、第３の画像形成装置への装着状態を示す斜視図（ｃ）。
【図２１】本発明に係るイメージングカートリッジを備えたより具体的な第１の画像形成装置としてのプリンタの断面図。
【図２２】本発明に係るイメージングカートリッジを備えたより具体的な第２の画像形成装置としてのＭＦＰの断面図。
【図２３】本発明に係るイメージングカートリッジを備えたより具体的な第１の画像形成装置としての他のプリンタの断面図。
【図２４】本発明に係るイメージングカートリッジを備えたより具体的な第２の画像形成装置としての他のＭＦＰの断面図。
【図２５】本発明に係るイメージングカートリッジを備えたより具体的な第１の画像形成装置としてのプリンタの断面図。
【図２６】本発明に係るイメージングカートリッジを備えたより具体的な第２の画像形成装置としてのＭＦＰの断面図。
【図２７】本発明に係るイメージングカートリッジを備えたより具体的な第３の画像形成装置としてのプリンタの断面図。
【図２８】核イメージングカートリッジ毎にユニット構成を変更した本発明に係るイメージングカートリッジを備えたより具体的な第１の画像形成装置としてのプリンタの断面図。
【符号の説明】
【０１２０】
１Ａ１〜１Ａ４  イメージングカートリッジ
２Ａ１〜２Ａ４  第１画像形成装置
３Ａ１〜３Ａ４  第２画像形成装置
１  ケーシング
５  感光体
８  接点
１１  接点部材
１１ａ  捩りばね
１１ｂ  接点アーム
１１ｃ  導電性ワイヤ
１１ｄ  緩衝ばね
１４  帯電ローラ
１５  現像ローラ
１６  導電板
１７  孔
１８  高圧電源基板
１Ｂ１〜１Ｂ３  イメージングカートリッジ
２Ｂ１〜２Ｂ３  第１画像形成装置
３Ｂ１〜３Ｂ３  第２画像形成装置
１Ｃ１〜１Ｃ６  イメージングカートリッジ
２Ｃ１〜２Ｃ６  第１画像形成装置
３Ｃ１〜３Ｃ６  第２画像形成装置
４Ｃ１〜４Ｃ６  第３画像形成装置
【図１】
2009205082.tif 000003
【図２】
2009205082.tif 000004
【図３】
2009205082.tif 000005
【図４】
2009205082.tif 000006
【図５】
2009205082.tif 000007
【図６】
2009205082.tif 000008
【図７】
2009205082.tif 000009
【図８】
2009205082.tif 000010
【図９】
2009205082.tif 000011
【図１０】
2009205082.tif 000012
【図１１】
2009205082.tif 000013
【図１２】
2009205082.tif 000014
【図１３】
2009205082.tif 000015
【図１４】
2009205082.tif 000016
【図１５】
2009205082.tif 000017
【図１６】
2009205082.tif 000018
【図１７】
2009205082.tif 000019
【図１８】
2009205082.tif 000020
【図１９】
2009205082.tif 000021
【図２０】
2009205082.tif 000022
【図２１】
2009205082.tif 000023
【図２２】
2009205082.tif 000024
【図２３】
2009205082.tif 000025
【図２４】
2009205082.tif 000026
【図２５】
2009205082.tif 000027
【図２６】
2009205082.tif 000028
【図２７】
2009205082.tif 000029
【図２８】
2009205082.tif 000030